(57)【要約】【課題】サンシェードにおける寸法誤差／変化を補償するサンシェードアセンブリを提供する。【解決手段】本発明は、横方向に剛体であるガイドストリップを備えた対向する前後方向縁部を有するサンスクリーンを備えたサンシェードアセンブリに関する。対向する前後方向ガイドレールはそれぞれ、サンスクリーンが開閉ポジション間で移動するときその中に個々のガイドストリップが収容されるガイドチャネルを画定するセクションを含む。各ガイドレールのガイドチャネルは、サンスクリーンの下面を支持するガイドフランジによって対向するガイドレールに面する側に結合される。ガイドチャネルの一部はサンスクリーンから離れた側でガイドストリップを支持する。付勢部材は、ガイドフランジから離れる方向にサンスクリーンに隣接するその縁部においてガイドストリップを付勢するためにガイドストリップの少なくとも一つと対応するセクションとの間で作用する。【選択図】図３Ａ
2011131877.tif 000002
【特許請求の範囲】
【請求項１】
サンシェードアセンブリであって、
上面および下面と、対向する前後方向縁部と、対向する横方向縁部と、を有するサンスクリーンであって、前記前後方向縁部は、横方向に実質的に剛体であるガイドストリップを備えているサンスクリーンと、
対向する前後方向ガイドレールであって、それぞれが、前記サンスクリーンが開放および閉鎖ポジションの間で動作するとき、その中に、前記個々のガイドストリップが収容されるガイドチャネルを形成するガイドチャネルセクションを含み、各ガイドレールの前記ガイドチャネルは、前記サンスクリーンの前記下面を支持するガイドフランジによって前記対向するガイドレールに面する側において結合されており、前記ガイドチャネルの一部分は、前記サンスクリーンから離間したその面上で前記ガイドストリップを支持している、対向する前後方向ガイドレールと、
前記ガイドフランジから離れる方向に、前記サンスクリーンに隣接する少なくともその縁部において前記ガイドストリップを付勢するために、前記ガイドストリップの少なくとも一方と前記対応するガイドチャネルセクションとの間で作用する付勢部材と、
を具備してなることを特徴とするサンシェードアセンブリ。
【請求項２】
前記付勢部材は、前記ガイドストリップと前記ガイドチャネルセクションとの間に配置されていることを特徴とする請求項１に記載のサンシェードアセンブリ。
【請求項３】
前記付勢部材は少なくとも一つの別体のスプリング部材を含み、このスプリング部材は、好ましくは、その前後方向に、前記ガイドチャネルセクションに対して静止状態であることを特徴とする請求項２に記載のサンシェードアセンブリ。
【請求項４】
前記付勢部材は、一方の前後方向縁部において前記ガイドチャネルセクションに取り付けられかつ他方の縁部近傍で前記ガイドストリップに当接するスプリングストリップを含み、前記スプリングストリップは、スプリング部材を形成するスプリングを備えることを特徴とする請求項３に記載のサンシェードアセンブリ。
【請求項５】
前記スプリングは、実質的にＵ字形の付勢部材を形成するように、前記ガイドストリップに当接する前記スプリングストリップの前記縁部において形成されており、前記スプリングは、好ましくは、前記ガイドフランジに当接すると共に前記スプリングストリップの実質的に全長にわたって延在していることを特徴とする請求項４に記載のサンシェードアセンブリ。
【請求項６】
前記付勢部材の前記スプリングは、前記スプリングの前記自由端から距離を置いて、前記ガイドフランジ上の突出部に当接していることを特徴とする請求項５に記載のサンシェードアセンブリ。
【請求項７】
前記スプリングストリップは、前記ガイドチャネルセクションの一部分内に固定されるか、あるいはその後方に掛止されていることを特徴とする請求項４ないし請求項６のいずれか１項に記載のサンシェードアセンブリ。
【請求項８】
前記スプリング部材は、前記スプリングストリップの端部間に形成されており、かつ、好ましくは、前記スプリングストリップの長さにわたって分布させられた複数のスプリングを備えることを特徴とする請求項４に記載のサンシェードアセンブリ。
【請求項９】
前記付勢部材は、前記ガイドストリップに一体化されていることを特徴とする請求項１に記載のサンシェードアセンブリ。
【請求項１０】
前記一体化された付勢部材は、前記ガイドストリップを、前記付勢部材と共に、巻き取りシャフト上に巻き取ることができるようにフレキシブルであることを特徴とする請求項９に記載のサンシェードアセンブリ。
【請求項１１】
前記付勢部材は、前記ガイドストリップの長さにわたって分布させられた複数のスプリングを具備してなることを特徴とする請求項９または請求項１０に記載のサンシェードアセンブリ。
【請求項１２】
各スプリングは、好ましくは前記ガイドストリップと一体に形成されたリーフスプリングであることを特徴とする請求項１１に記載のサンシェードアセンブリ。
【請求項１３】
各リーフスプリングは前記ガイドストリップの実質的に前後方向に延在しており、一端は、前記ガイドストリップに固定されており、かつ、他端は、付勢されていない状態では前記ガイドストリップから距離を置いて配置された自由端であることを特徴とする請求項１２に記載のサンシェードアセンブリ。
【請求項１４】
前記ガイドストリップおよびスプリングは、ばね鋼からなることを特徴とする請求項９ないし請求項１３のいずれか１項に記載のサンシェードアセンブリ。
【請求項１５】
請求項１ないし請求項１４のいずれか１項に記載のサンシェードアセンブリであって、
前記ガイドストリップは、前記サンスクリーンを緊張させるために、前記ガイドチャネルセクションに対して、回動することができるように前記ガイドストリップに対してサンスクリーンが取り付けられたポジションから距離を置いて、前記ガイドチャネルセクションに当接し、かつ、好ましくは、前記ガイドストリップは、その前後方向縁部間のポジションにおいて、前記ガイドチャネルセクションの丸みのある突出部に当接し、かつ、前記丸みのある突出部を中心として揺動することが許容されていることを特徴とするサンシェードアセンブリ。
【発明の詳細な説明】
【技術分野】
【０００１】
本発明は、サンシェードアセンブリであって、上面および下面と、対向する前後方向縁部と、対向する横方向縁部とを有するサンスクリーンであって、前後方向縁部は、横方向に実質的に剛体であるガイドストリップを備えているサンスクリーンと、対向する前後方向ガイドレールであって、それぞれが、サンスクリーンが開放および閉鎖ポジションの間で動作するとき、その中に、個々のガイドストリップが収容されるガイドチャネルを形成するガイドチャネルセクションを含み、各ガイドレールのガイドチャネルは、サンスクリーンの下面を支持するガイドフランジによって対向するガイドレールに面する側において結合されている、対向する前後方向ガイドレールとを具備してなり、ガイドチャネルの一部分は、サンスクリーンから離間したその側でガイドストリップを支持しているサンシェードアセンブリに関する。
【背景技術】
【０００２】
これまで、横方向に関してサンスクリーンの緊張状態(これは、サンスクリーンの最適な美的外観につながる)を維持するために、サンスクリーンの寸法誤差あるいは寸法変化を補償するための、さまざまな工夫が提案されてきた。第一に、それが内的スプリング機能を有するように、サンスクリーンを部分的にあるいは完全に弾性素材から形成することが提案された。だが、そうした解決策は、重い布に関しては不可能であり、かつ、品質をコントロールするのが困難である。さらに、ガイドレールが、外向き方向にサンスクリーンにスプリング力を加えることを可能とすることが提案された。これは、機構を複雑なものとし、しかも、特にガイドレールが前後方向に僅かに湾曲している場合には、サンスクリーンへ均等な力を加えるのは困難である。
【発明の概要】
【発明が解決しようとする課題】
【０００３】
本発明の目的は、サンシェードにおける寸法誤差あるいは寸法変化を補償するための新規な手段を有するサンシェードアセンブリを提供することである。
【課題を解決するための手段】
【０００４】
この目的のために、サンシェードアセンブリは、ガイドフランジから離れる方向に、サンスクリーンに隣接した少なくともその縁部においてガイドストリップを付勢するために、ガイドストリップの少なくとも一つと、対応するガイド部材セクションとの間で作用する付勢部材を具備してなる。
【０００５】
ガイドストリップとチャネルセクションとの間で作用する付勢部材を提供するために、ガイドレールあるいはサンスクリーンにスプリング機能を付与することは、もはや必要とされない。
【０００６】
ある実施形態では、付勢部材は、ガイドストリップとガイドチャネルとの間に配置され、そして、その前後方向に関してガイドチャネルセクションに対して静止した少なくとも一つの別体のスプリング部材を備えていてもよく、あるいは、付勢部材はガイドストリップに一体化されてもよく、この場合、それは、その前後方向に関してガイドストリップに対して固定状態となる。互いにスライド接触状態にある表面が、サンスクリーンを移動させるのに要する力が過度に、そして許容できないレベルまでは確実に増大しないように低摩擦抵抗を保証するならば有益である。
【０００７】
ガイドストリップとは別体の付勢部材が使用される場合、それは、一方の前後方向縁部においてガイドチャネルセクションに対して取り付けられかつ他方の縁部付近でガイドストリップに圧接するスプリングストリップを含んでいてもよく、このスプリングストリップはスプリング部材を備える。
【０００８】
スプリング部材は、スプリングストリップに対して、さまざまな様式で配置することができ、かつ、一つの連続したスプリングあるいはスプリングストリップの長さにわたって分布させられた複数のスプリングを含んでいてもよい。後者の実施形態では、スプリングは互いに独立して作用でき、したがって、たとえ局所的な変動があっても、サンスクリーンを均一に緊張させるために、局所的状況に容易に適合できる。これは、スプリングストリップに一体化された複数のスプリングとして類似の構造を有することができるガイドストリップに一体化される付勢部材に関しても、当てはまる。
【０００９】
以下、実例として、本発明の実施形態を大まかに示す図面を参照して、本発明について、さらに詳しく説明する。
【図面の簡単な説明】
【００１０】
【図１】オープンルーフ構造に適用されたサンシェードアセンブリの概略斜視図である。
【図２Ａ】図１の線II‐IIによる横断面図であり、ガイドチャネルセクションおよびサンスクリーンのガイドストリップのみを、付勢部材があるポジションにある状態で示している。
【図２Ｂ】図１の線II‐IIによる横断面図であり、ガイドチャネルセクションおよびサンスクリーンのガイドストリップのみを、付勢部材が図２Ａとは異なるポジションにある状態で示している。
【図３Ａ】図１の線III‐IIIによる横断面図であり、ガイドレールおよび周囲の部品を、あるポジションにある付勢部材の第２実施形態と共に示している。
【図３Ｂ】図１の線III‐IIIによる横断面図であり、ガイドレールおよび周囲の部品を、図３Ａとは異なるポジションにある付勢部材の第２実施形態と共に示している。
【図４】図２に対応する図であり、ガイドストリップの第３実施形態を示している。
【図５】図４のサンシェードの縮小スケールでの部分斜視図である。
【図６】図５における細部ＩＶの拡大図である。
【発明を実施するための形態】
【００１１】
まず、図１を参照すると、車両用のオープンルーフ構造が、破線で大まかに示されている。当該オープンルーフ構造は、乗用車などの車両の固定ルーフ部２におけるルーフ開口１と、詳しくは図示していないが、それ自体公知である手段によって、このルーフ開口１を開放および閉鎖するために移動できる可動式閉鎖パネル３とを具備してなる。図１において、閉鎖パネル３は、それがルーフ開口１を開放するポジションで示されている。
【００１２】
ルーフ開口１の下方には、本発明に基づくサンシェードアセンブリが配置されている。基本的に、当該サンシェードアセンブリは、フレキシブルなサンスクリーンと、このサンスクリーンを巻き取りかつ巻き戻すための回転可能な巻き取りシャフト５と、サンスクリーン４の二つの対向する前後方向縁部と協働するための二つの対向するガイドレール６および７とを具備してなる。サンシェードアセンブリはまた、開放時にサンスクリーンが折り畳まれるように構成されてもよい。
【００１３】
ここでは、サンシェードアセンブリは従来の形状を有する。さらに、それ自体公知の様式で、巻き取りシャフト５の上に巻き取られる端部と対向するサンスクリーン４の端部は操作ビーム８を有するが、これは、サンスクリーン４を操作し、かつ、それを所望のポジションに位置させるために手で把持できる。操作ビーム８の両端は、(ガイドレール６,７と共に延在するか、あるいはそれと一体化された)ここでは図示していないガイド内で案内される。サンスクリーンはまた、もちろん、電動モーターあるいはその他の駆動手段によって駆動することができる。
【００１４】
ここで、図２ないし図６について説明する。図３Ａ／Ｂは、サンスクリーン４の一方の横方向縁部、およびガイドレール７の断面を示している。(鏡像に関して)同じ断面が、サンスクリーンの逆側においてガイドレールに存在してもよい。ガイドレール(これは、その長さに沿って僅かに湾曲していてもよい)は、サンスクリーン４と協働すると共にそのためのガイドチャネルを形成するガイドチャネルセクション９と、閉鎖パネル用の作動機構を含んでいてもよいメインセクション１０と、このメインセクション１０とガイドチャネルセクション９とを相互連結する連結セクション１１とを具備してなる。
【００１５】
少なくとも横方向に弾性的に伸長可能であってもよいサンスクリーン４の側方部分１２が示されている(サンスクリーンの残部は実質的に非弾性であってもよい)。この部分１２は、ガイドレール６または７に沿ってスライドするとき、低い摩擦抵抗を実現するように処理された布などの、伸縮テキスタイルからなっていてもよい。それはまた、プラスチックあるいはゴム状素材などの、その他の素材から形成されてもよく、あるいは、弾性接続部として構成されても、あるいは弾性接続部を備えてもよい。これに代えて、スクリーン全体が伸縮可能な素材から形成されても、あるいは弾性構造体を有していてもよい。だが、本発明によれば、弾力性のあるスクリーンを使用する必要はなく、したがって、それはまた、完全に、実質的に非伸縮性のあるいは非弾性の素材から形成されてもよい。
【００１６】
サンスクリーン４の各側方部分１２の横方向外側端部に対して取り付けられているのがガイドストリップ１３であり、これは、したがって、サンスクリーン４の各前後方向縁部上に設けられている。このガイドストリップ１３(これは、この実施形態では、直線状の断面を有する)は、ガイドレール６,７のガイドチャネルセクション９内に収容されている。ガイドストリップは、サンスクリーンと共に巻き取りシャフト５の上に巻き取るのに十分なほどフレキシブルである。
【００１７】
図２Ａ、図２Ｂに基づく第１実施形態では、ガイドチャネルセクション９は、ガイドストリップ１３が、それが横方向にサンスクリーン４の本体部分と鋭角をなすような向きでガイドチャネルセクション９内でガイドされると共にサンスクリーンと実質的に平行なポジションを中心として回動あるいは揺動できるような形状とされている。サンスクリーン４は、ガイドチャネルの上側端部においてかつガイドチャネルセクション９の一部であるガイドフランジ１４の周りでガイドされる。ガイドフランジは、サンスクリーン４をガイドするその自由端部において丸みが付与されている。この実施形態では、サンスクリーンはガイドフランジ１４から下方に案内され、そしてガイドストリップ１３は、実質的にガイドフランジ１４の下方で他のガイドレールに向かう方向にサンスクリーン４から延在している。ガイドストリップ１３は、ガイドチャネルセクション９の下側部分９ａに当接しており、特に、ガイドチャネルセクション９の下側部分９ａの丸みを帯びた突出部１５に当接している。ガイドストリップ１３は、その端部間のポジションにおいて、突出部１５に当接しており、ここで、このポジションは、突出部１５上でのガイドストリップの揺動あるいは回動の間、変化する。
【００１８】
ガイドストリップ１３は、付勢部材１６によって横方向にサンスクリーン４を引き伸ばすために下方に付勢されている。ここでは、付勢部材は、ガイドストリップ１３とは別体とされ、かつ、少なくともその前後方向に、ガイドチャネルセクションに対して静止している。付勢部材の長さは、サンスクリーン、あるいはその操作ビームが付勢部材と接触したままであり、この結果、サンスクリーンの全てのポジションにおいて付勢部材１６に沿ってサンスクリーンを容易に移動させることができるようなものである。好ましくは、付勢部材は、その付勢がサンスクリーンの長さに沿って変化し得るようになされ、この結果、その全てのポジションにおいて緊張した滑らかなサンスクリーン４を保証するために、サンスクリーンあるいはガイドチャネルセクションの特性によって、もし望むならば、ガイドストリップのポジションが長さに沿って変化してもよい。
【００１９】
図２Ａ、図２Ｂの実施形態において、付勢部材１６はスプリングストリップ１７を含むが、これは、ガイドチャネルセクション９に対して、ここではそのフック１８に対して、一方の前後方向縁部において掛止されるかあるいは取り付けられると共に、ガイドストリップがサンスクリーン４に取り付けられる前後方向縁部付近のポジションにおいて、その他方の前後方向縁部がガイドストリップ１３に圧接するスプリングストリップ１７を含む。スプリング１９はガイドストリップと一体化されており、かつ、スプリングストリップの縁部に形成されているが、ここで、それは、ＵあるいはＶ字形付勢部材１６を形成するためにガイドストリップに圧接する。スプリング１９は、ガイドストリップが突出部１５に対して行うのと同じ様式で、突出部の周りで揺動あるいは回動するために、ガイドフランジの下面において、丸みを帯びた突出部２０に、その自由縁部から距離を置いてあるいはその付近において当接する。スプリング１９は、スプリングストリップ１７と同じ長さに沿って連続的に延在できるが、それはまた、捻りおよび撓みに抗する付勢部材のスプリング特性および剛性に影響を与えるために、複数の別個のストリップを形成するために中断されてもよい。この実施形態では、ガイドストリップ１３は、たとえば、プラスチックから形成されてもよく、一方、スプリングストリップは、ばね鋼から形成されてもよい。互いに滑り合うガイドストリップ１３および／またはスプリングストリップ１７の表面は、低摩擦滑り特性を保証するために処理されてもよい。
【００２０】
ガイドフランジ１４の自由縁部は、その最大限に内側に回動したポジションを決定するために、付勢部材１６の、この例では、そのスプリング１９のための当接部を形成するストッパー２１を、その下面に有する。図２ａ、図２ｂには、付勢部材１６がサンスクリーン４と接触していることが、そして、必須ではないが、それが、スプリングストリップ１７の掛止された縁部をガイドチャネルセクション９のフック１８と係合状態で維持するのを助けることが示されている。付勢部材１６は、サンスクリーン４を常時引き伸ばされた状態で維持するために、ガイドフランジから離れる方向にガイドストリップを付勢する。
【００２１】
図３ａ、図３ｂの実施形態では、ガイドチャネルセクション９は、別の方法で形成される。ガイドフランジ１４は、ガイドストリップ１３が、対向するガイドレール７から離れる方向にサンスクリーン４から延在できるように、より短くなっている。ガイドストリップ１３の下面は、下側チャネル部９ａ上の突出部１５上に載り、そして、図３ａおよび図３ｂに示すポジション間で、すなわちサンスクリーン４と実質的に平行なポジションを中心として、この突出部１５の上で回動あるいは揺動することができる。
【００２２】
本実施形態におけるスプリングストリップ１７は、それに対してスプリングストリップを固定するために、ガイドチャネルセクション９の溝２２内で一方のエッジ部分１７ａを用いて掛止されている。ガイドストリップがポジションを変えるとき、このエッジ部分１７ａは同じポジションに留まるので、スプリングストリップは屈曲し、そしてスプリングストリップが、ばね鋼などの弾性素材からなる場合、これによって必要なスプリング作用を提供できる。にもかかわらず、図３ａおよび図３ｂは、スプリングストリップ１７から曲げられた複数のスプリングからなると共にガイドチャネルセクションのストッパーブラケット２４と協働する付加的スプリング部材２３を示している。スプリング部材は、ここでは、スプリングストリップ１７の縁部間に配置されている。本実施形態の作用は、図２ａおよび図２ｂに関する第３実施形態と同じである。
【００２３】
図４ないし図６は、ガイドストリップ／付勢部材の第３実施形態を示している。この実施形態では、付勢部材１６はガイドストリップ１３に一体化されており、かつ、ガイドストリップの長さにわたって分布させられると共にそこから曲げられた複数のスプリング２５を含んでおり、これは、第２実施形態のスプリングストリップ１７におけるスプリングによる場合と同じであってもよい。図６は、リーフスプリング２５がガイドストリップ１３から曲がっていることを示しているが、スプリングの自由端は、非付勢状態ではガイドストリップから距離が置かれている。図５は、複数のスプリング２５がガイドストリップ１３の長さに沿って分布させられていることを、そしてスプリング２５を備えたガイドストリップ１２が巻き取りシャフト２５の上に巻き取るのに十分なほどフレキシブルであることを示している。ガイドストリップ１３とスプリング２５とがばね鋼から一体的に形成される場合、スプリングは、サンスクリーンへの所望の張力を実現するべくスプリング特性に影響を与えるために、そしてサンスクリーン４およびガイドストリップ１３の容易な巻き取りを可能とするために、切り込みを備えていてもよい。ガイドストリップ１３およびスプリング２５のスライド表面は、アルミニウムなどの金属、プラスチックなどから形成されてもよいガイドレールに対する所望のスライド特性を実現するために、処理あるいは被覆されてもよい。
【００２４】
図４は、スプリング２５の一つがガイドフランジ１４と係合状態にあることを示しているが、これは、この例では、傾斜ポジションにあり、一方、ガイドストリップ１３も同様に傾斜ポジションにあり、下方であってかつ対向するガイドレール７に向かう方向にサンスクリーン４の側方部分１２から延在している。スプリング２５は、ガイドフランジ１４から離れる方向に、サンスクリーンに連結されたガイドストリップの縁部を付勢する。ガイドストリップ１３は、ここではガイドチャネルセクション９のコーナーとして形成された突出部１５上に、サンスクリーン４から離れる方向に面する側で載っており、かつ、この突出部１５に対して回動あるいは揺動することができる。
【００２５】
付勢部材１６は複数の独立したスプリング２５を含むので、この付勢部材によってガイドストリップ１３のさまざまなポジションを局所的に実現することは容易である。
【００２６】
ここまでの説明から、本発明が、信頼性が高くかつ簡単な様式でサンスクリーンの適切な緊張状態を保証するサンシェードアセンブリおよびそうしたサンシェードアセンブリを具備してなるオープンルーフ構造を提供することは明らかである。
【００２７】
本発明は、図示されかつここまで説明してきた実施形態に限定されるものではなく、本発明の範囲内でさまざまな様式で変更可能である。たとえば、付勢部材は、一方または両方のガイドレール内に設けられてもよい。サンスクリーンを緊張させるためにガイドチャネルセクションに対して回動できるようにサンスクリーンがガイドストリップに対して取り付けられたポジションから距離を置いてガイドストリップがガイドチャネルセクションに当接することを示したが、ガイドストリップはまた、これとは異なるように動作しても、たとえばスライドしても、あるいは回動およびスライドが組み合わされた動作を行ってもよい。
【符号の説明】
【００２８】
１  ルーフ開口
２  固定ルーフ部
３  可動式閉鎖パネル
４  サンスクリーン
５  巻き取りシャフト
６,７  ガイドレール
８  操作ビーム
９  ガイドチャネルセクション
１０  メインセクション
１１  連結セクション
１２  側方部分
１３  ガイドストリップ
１４  ガイドフランジ
１５  突出部
１６  付勢部材
１７  スプリングストリップ
１８  フック
１９  スプリング
２０  突出部
２１  ストッパー
２２  溝
２３  付加的スプリング部材
２４  ストッパーブラケット
２５  スプリング
【図１】
2011131877.tif 000003
【図２Ａ】
2011131877.tif 000004
【図２Ｂ】
2011131877.tif 000005
【図３Ａ】
2011131877.tif 000006
【図３Ｂ】
2011131877.tif 000007
【図４】
2011131877.tif 000008
【図５】
2011131877.tif 000009
【図６】
2011131877.tif 000010